(57)【要約】【課題】  装着するだけで振り分け装置をユニット役物への基準位置に対し容易かつ確実に位置決めできるようにした組付け構造及び該構造を備える遊技機を提供する。【解決手段】  本振り分け装置の組付け構造は、センター飾り１２への装着状態にて該センター飾り１２への基準位置に位置決めされる前枠８３ａ及び後枠８３ｂを備え、これら枠８３ａ，８３ｂをその第１及び第２カバー支持部８０，８１に第１及び第２クルーン３３，３４を所定の状態に支持した形でセンター飾り１２に装着することにより、これらクルーン３３，３４を、センター飾り１２への基準位置に対し枠８３ａ，８３ｂを介して位置決めするように構成される。【選択図】      図６
2006122280.tif 000002
【特許請求の範囲】
【請求項１】
ワープ導入口と、主に該ワープ導入口から導入された遊技球を受ける遊技球ステージと、前記ワープ導入口から導入された遊技球の前記遊技球ステージへの進路を振り分ける複数のクルーン部材を上下方向に重なる形で有する振り分け装置とを備えるユニット役物における振り分け装置の組付け構造であって、
前記ユニット役物への装着状態にて該ユニット役物への基準位置に位置決めされる支持体を備え、
前記支持体をその支持部に前記複数のクルーン部材を所定の状態に支持した形で前記ユニット役物に装着することにより、前記複数のクルーン部材を、前記ユニット役物への前記基準位置に対し前記支持体を介して位置決めするように構成した、
ことを特徴とする振り分け装置の組付け構造。
【請求項２】
前記支持体は、一方向と他方向から結合された形で前記複数のクルーン部材を間に挟み込んで該クルーン部材を所定の状態に位置決め固定し得る第１の支持部材と第２の支持部材とから構成される、
ことを特徴とする請求項１に記載の振り分け装置の組付け構造。
【請求項３】
前記複数のクルーン部材は夫々、略球面状の底面を遊技球の転動案内面として備えると共に、該転動案内面の中心に関する点対称の位置となるように一対の貫通孔を備えてなり、前記ユニット役物に対する基準位置に前記支持体を介して位置決めされた状態にて、前記貫通孔の一方への入球率を高めるように当該一方の貫通孔側が他方の貫通孔側よりも鉛直方向に高く位置するように前記転動案内面が傾斜してなる、
ことを特徴とする請求項１又は２に記載の振り分け装置の組付け構造。
【請求項４】
前記複数のクルーン部材は夫々、前記一対の貫通孔から夫々に導入する遊技球を前記遊技球ステージの所定のルートに導く球受け部材を下部面に一体に備えてなる、
ことを特徴とする請求項３に記載の振り分け装置の組付け構造。
【請求項５】
前記支持体は、前記複数のクルーン部材及び前記ユニット役物前方の双方を照明する照明装置を支持する照明支持部を備えてなる、
ことを特徴とする請求項１ないし４のいずれか１項に記載の振り分け装置の組付け構造。
【請求項６】
前記照明装置は、前記複数のクルーン部材に向かって光射出する第１の発光体と前記ユニット役物の前方に向かって光射出する第２の発光体とを共通の基板に実装した形で前記支持体に支持されてなる、
ことを特徴とする請求項５に記載の振り分け装置の組付け構造。
【請求項７】
請求項１ないし６のいずれか１項に記載の振り分け装置の組付け構造を備えることを特徴とする遊技機。
【発明の詳細な説明】
【技術分野】
【０００１】
本発明は、振り分け装置の組付け構造及び該組付け構造を備える遊技機に関し、詳しくは、センター飾り等のユニット役物に振り分け装置を容易にかつ高精度に組付け得るようにした構造、並びに当該組付け構造を具備した遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の図柄表示装置の画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、遊技領域の中央部分にセンター飾りを備え、このセンター飾りの側部にワープ導入口を備え、このワープ導入口から入球した遊技球を始動チャッカー側に導くように転動させる遊技球ステージを備えたものが存在する（例えば、特許文献２参照）。
【０００５】
近年、上記のような遊技球ステージを有するパチンコ機にあって、当該ステージにおける所定の位置に球導入口を形成しておき、ワープ導入口から入球した遊技球の一部が上記球導入口への対応位置に偶然的に転動して該球導入口に落下した際、当該遊技球を略１００％の確率で始動チャッカーに入球し得るように案内する構成を備えたものも存在する（例えば、特許文献３参照）。
【０００６】
【特許文献１】特開２００３−２３６２１０号公報
【特許文献２】特開２００１−３２７６７２号公報
【特許文献３】特開２０００−５１４４８号公報
【発明の開示】
【発明が解決しようとする課題】
【０００７】
しかし、上記特許文献３に記載されるようなパチンコ機にあっては、ワープ導入口から導入された遊技球の動きは単調で、当該動きそのものを楽しむことは難しく、上記ステージの球導入口に入球し得なかった場合には、その行方を遊技者が注視することは殆どなかった。つまり、ワープ導入口から導入されて転動移動する遊技球は、球導入口から導入されて始動チャッカーに入賞するか否か以外には注目されるべき点は無いに等しく、従って、センター飾り内での遊技球の動きそのものに対する遊技者の興味を高め、興趣を向上させることが切望される。
【０００８】
興趣向上のため、例えばセンター飾りに、遊技球を振り分ける振り分け装置を装着しようとする場合、遊技球の転動状態を適正にするために当該振り分け装置を精度良くセンター飾りに位置決め固定すること、即ち、当該センター飾りを介して振り分け装置を遊技機本体に高い精度で位置決め固定することが必要になると考えられる。しかも、組立て工程を簡略化するためにも、組付け手法は可及的に簡便であることが望まれる。
【０００９】
そこで本発明は、装着するだけで振り分け装置をセンター飾り等のユニット役物への基準位置に対し容易かつ確実に位置決めできるように構成し、もって上述した課題を解決した振り分け装置の組付け構造、及び該組付け構造を備える遊技機を提供することを目的とするものである。
【課題を解決するための手段】
【００１０】
請求項１に係る本発明は（例えば図１ないし図８参照）、ワープ導入口（３２）と、主に該ワープ導入口（３２）から導入された遊技球（Ｂａ）を受ける遊技球ステージ（Ｓ）と、前記ワープ導入口（３２）から導入された遊技球（Ｂａ）の前記遊技球ステージ（Ｓ）への進路を振り分ける複数のクルーン部材（３３，３４）を上下方向に重なる形で有する振り分け装置（２５）とを備えるユニット役物（１２）における振り分け装置（２５）の組付け構造であって、
前記ユニット役物（１２）への装着状態にて該ユニット役物（１２）への基準位置に位置決めされる支持体（８３ａ，８３ｂ）を備え、
前記支持体（８３ａ，８３ｂ）をその支持部（８０，８１）に前記複数のクルーン部材（３３，３４）を所定の状態に支持した形で前記ユニット役物（１２）に装着することにより、前記複数のクルーン部材（３３，３４）を、前記ユニット役物（１２）への前記基準位置に対し前記支持体（８３ａ，８３ｂ）を介して位置決めするように構成した、
ことを特徴とする振り分け装置の組付け構造にある。
【００１１】
なお、本発明における「ワープ導入」という語句は、遊技領域に打ち出された遊技球を、当該遊技領域における比較的下側に位置する道釘等を経ることなく、始動入賞口の上に導くことを意味する概念である。そして、上記「道釘」とは、遊技領域において始動入賞口の上部左右に打ち込まれた複数本の障害釘の列を意味するもので、上方から転動落下してきた遊技球を始動入賞口方向に導く役割を担っている。
【００１２】
請求項２に係る本発明は（例えば図２及び図８参照）、前記支持体が、一方向と他方向から結合された形で前記複数のクルーン部材（３３，３４）を間に挟み込んで該クルーン部材（３３，３４）を所定の状態に位置決め固定し得る第１の支持部材（８３ａ）と第２の支持部材（８３ｂ）とから構成される、
ことを特徴とする請求項１に記載の振り分け装置の組付け構造にある。
【００１３】
請求項３に係る本発明は（例えば図８及び図１０参照）、前記複数のクルーン部材（３３，３４）が夫々、略球面状の底面を遊技球（Ｂａ）の転動案内面（３３ａ，３４ａ）として備えると共に、該転動案内面（３３ａ，３４ａ）の中心に関する点対称の位置となるように一対の貫通孔（３５，３６又は３７，３８）を備えてなり、前記ユニット役物（１２）に対する基準位置に前記支持体（８３ａ，８３ｂ）を介して位置決めされた状態にて、前記貫通孔の一方（３６又は３８）への入球率を高めるように当該一方の貫通孔（３６又は３８）側が他方の貫通孔（３５又は３７）側よりも鉛直方向に高く位置するように前記転動案内面（３３ａ，３４ａ）が傾斜してなる、
ことを特徴とする請求項１又は２に記載の振り分け装置の組付け構造にある。
【００１４】
請求項４に係る本発明は（例えば図８及び図１０参照）、前記複数のクルーン部材（３３，３４）が夫々、前記一対の貫通孔（３５，３６又は３７，３８）から夫々に導入する遊技球（Ｂａ）を前記遊技球ステージ（Ｓ）の所定のルートに導く球受け部材（Ｒ１，Ｒ２）を下部面に一体に備えてなる、
ことを特徴とする請求項３に記載の振り分け装置の組付け構造にある。
【００１５】
請求項５に係る本発明は（例えば図８及び図１０参照）、前記支持体（例えば８３ａ）が、前記複数のクルーン部材（３３，３４）及び前記ユニット役物前方の双方を照明する照明装置（３９）を支持する照明支持部（３９ａ）を備えてなる、
ことを特徴とする請求項１ないし４のいずれか１項に記載の振り分け装置の組付け構造にある。
【００１６】
請求項６に係る本発明は（例えば図８及び図１０参照）、前記照明装置（３９）が、前記複数のクルーン部材（３３，３４）に向かって光射出する第１の発光体（８９ａ）と前記ユニット役物（１２）の前方に向かって光射出する第２の発光体（８９ｂ）とを１枚の基板（８６）に実装した形で前記支持体（８３ａ，８３ｂ）に支持されてなる、
ことを特徴とする請求項５に記載の振り分け装置の組付け構造にある。
【００１７】
請求項７に係る本発明は（例えば図８及び図１０参照）、請求項１ないし６のいずれか１項に記載の振り分け装置（２５）の組付け構造を備えることを特徴とする遊技機（１）にある。
【００１８】
本発明に係る遊技機は、始動入賞口への入賞を契機とした大当たり抽選に当選した際に、通常は閉塞しているアタッカーを開放させ、所定時間が経過した時点又は所定個数の遊技球がアタッカーに入賞した時点で閉塞させる動作を所定ラウンド数だけ繰り返し行う構成の第１種特別電動役物と、遊技領域に始動入賞口と該始動入賞口への入賞に基づいて開閉する特定領域を含んだ特別入賞装置とを有し、該特別入賞装置の開放中に遊技球が入球し、更に当該遊技球が特定領域に入賞した時点で大当たりを発生させる構成の第２種特別電動役物と、遊技領域に備えた所謂オープンチャッカーへの入賞時に開放した電動式チューリップへの入球後の特定入賞口への入賞にて大当たりの権利を発生させる構成の第３種特別電動役物とに適用可能である。
【００１９】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００２０】
請求項１に係る本発明によると、振り分け装置の組付け工程の開始に際して、まず、支持体の支持部に複数のクルーン部材を所定の状態となるように支持させた後、この支持体をユニット役物に装着するだけで、支持体を介して複数のクルーン部材をユニット役物への基準位置に対し容易にかつ確実に位置決めすることができる。
【００２１】
請求項２に係る本発明によると、支持体が、一方向と他方向から結合された形で複数のクルーン部材を間に挟み込んで該クルーン部材を所定の状態に位置決め固定し得る第１の支持部材と第２の支持部材とから構成されるので、振り分け装置の組付け工程の開始に際して、まず、支持体を第１の支持部材と第２の支持部材とに分解しておき、このうちの一方の所定部分にクルーン部材を夫々に装着した後、該一方の支持部材に対し他方の支持部材を結合させるだけで、クルーン部材の支持体への正規の装着状態が実現し、これにより、振り分け装置の組付け工程がより簡便になる。
【００２２】
請求項３に係る本発明によると、複数のクルーン部材が夫々、略球面状の底面を遊技球の転動案内面として備えると共に、該転動案内面の中心に関する点対称の位置となるように一対の貫通孔を備えてなり、ユニット役物に対する基準位置に支持体を介して位置決めされた状態にて、貫通孔の一方への入球率を高めるように当該一方の貫通孔側が他方の貫通孔側よりも鉛直方向に高く位置するように転動案内面が傾斜しているので、例えば、一方の貫通孔を遊技者への利益が小さくなるルートに連通させ、他方の貫通孔を当該利益が大きくなるルートに連通させた場合に、一方の貫通孔への導入を増やして導入率を偏らせ、他方の貫通孔を介したルートには容易に導入できないという形とし、他方の貫通孔を介したルートに導入される際の遊技者の期待感を膨らませ、遊技性をより向上させることができる。
【００２３】
請求項４に係る本発明によると、複数のクルーン部材が夫々、一対の貫通孔から夫々に導入する遊技球を遊技球ステージの所定のルートに導く球受け部材を下部面に一体に備えるので、部品点数を削減し、振り分け装置の組付け時の作業をより簡略化させることができる。
【００２４】
請求項５に係る本発明によると、支持体が、複数のクルーン部材及びユニット役物前方の双方を照明する照明装置を支持する照明支持部を備えるので、照明支持部に、照明装置に係る部品を支持するだけで、複数のクルーン部材及びユニット役物前方の双方を照明する構成が容易に実現することとなる。
【００２５】
請求項６に係る本発明によると、照明装置が、複数のクルーン部材に向かって光射出する第１の発光体とユニット役物の前方に向かって光射出する第２の発光体とを共通の基板に実装した形で支持体に支持されるので、１枚の基板を支持体に装着するだけで、第１及び第２の発光体を、複数のクルーン部材及びユニット役物前方の双方を照明し得る状態に容易にセットすることができる。この際、例えば、第１及び第２の発光体を複数個ずつ基板に実装すると共に、各発光体が夫々、光３原色（ＲＧＢ）に対応するものとなるように構成することで、複数のクルーン部材及びユニット役物前方の双方を、美観を高めた多彩で装飾的な状態に照明することが可能となる。
【００２６】
請求項７に係る本発明によると、遊技機に、請求項１ないし６のいずれか１項に記載の振り分け装置の組付け構造を備えるので、装着するだけで振り分け装置をユニット役物への基準位置に対し容易かつ確実に位置決めできる構造を具備する遊技機を得ることができる。
【発明を実施するための最良の形態】
【００２７】
以下、本発明に係る振り分け装置の組付け構造及び該組付け構造を備える遊技機の実施形態として、遊技場等に設置されるパチンコ機を例に挙げて図１ないし図８に沿って説明する。なお、本実施の形態では、本発明に係る遊技機を所謂第１種特別電動役物のパチンコ機として述べるが、本発明はこれに限らず、所謂第２種特別電動役物や所謂第３種特別電動役物のパチンコ機にも適用可能であることは勿論である。
【００２８】
図１は本発明に係る実施形態のパチンコ機の外部構造を示す正面図、図２は当該パチンコ機に搭載されたセンター飾り（ユニット役物）を単体で示す斜視図、図３は当該センター飾りを示す正面図、図４は、図３に示したセンター飾りを同図A-A線に沿って切断して上方から見た状態で示す平面図、図５はセンター飾りを示す分解斜視図、図６はセンター飾りに備えた振り分け装置を示す分解斜視図、図７はクルーンを拡大して示す斜視図、図８は図７のクルーンを上方から見た状態で示す平面図である。
【００２９】
パチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態でアタッカー１７（図１参照）に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００３０】
図１に示すように、本実施形態におけるパチンコ機１は、開口を有する枠体状の筐体２と、この筐体２に開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置２３が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００３１】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００３２】
また、前扉３における上皿１３の下方には下皿１５が配置されており、該下皿１５の右部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。なお、図１中の符号１０は、発射ハンドル９の操作で発射された遊技球を遊技盤７の遊技領域７ａに導くガイドレールを示し、符号２２はアウト口を示している。また、本パチンコ機１には、遊技中に遊技領域７ａにて入賞することなく落下してアウト口２２に入り込んだ遊技球をパチンコ機背面側に導くアウト球通路（図示せず）が設けられている。
【００３３】
遊技領域７ａには、遊技球ステージＳを有するセンター飾り（ユニット役物）１２が中央部分に配設されている。センター飾り１２の下部左右には、大当たり抽選に寄与しない一般の入賞が行われる入賞口２９，３０が配設されており、センター飾り１２の下方には、入賞口としての始動チャッカー１６と、大入賞口としてのアタッカー１７とが順次配設されている。
【００３４】
センター飾り１２の中央部分には開口１１が形成されており、遊技盤７には、この開口１１から露出するように図柄表示装置６が設けられている。センター飾り１２は、図柄表示装置６の右側に振り分け装置２５を備えており、この振り分け装置２５は、鉛直方向で上下２段に重なるように配置された第１及び第２クルーン３３，３４を備えている。上記始動チャッカー１６は、開放位置と閉止位置とに開閉動作するように、不図示のソレノイドによって作動させられる。なお、始動チャッカー１６の直上方には、所謂命釘としての一対の障害釘７０が打ち込まれている。
【００３５】
上記「クルーン」という語句は、底面が曲面状に形成され、且つこの底面に複数個の表裏貫通孔を備え、底面上に転動されてきた遊技球を引き続き転動させつつ、貫通孔のいずれかに落下させる役物を意味する。
【００３６】
始動チャッカー１６には、大当たり抽選実行の契機となり得る入賞が行われる。また、アタッカー１７は、大当たり発生時に開放され、遊技盤７の遊技領域７ａに打ち出されて転動落下する遊技球Ｂａを入賞させる。アタッカー１７は、大当たり発生中、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００３７】
更に遊技領域７ａには、図柄表示装置６の左上方に風車４４が配設されており、図柄表示装置６の下方における始動チャッカー１６の左右には、スルーゲート６１ａ，６１ｂが配設されている。これらスルーゲート６１ａ，６１ｂは、始動チャッカー１６を開閉動作させるための抽選の契機となる遊技球通過が行われる役物である。
【００３８】
そして、遊技領域７ａにおけるスルーゲート６１ａ，６１ｂ、入賞口２９，３０及び始動チャッカー１６等の周囲には、遊技球ステージＳから零れた遊技球や、発射されてから遊技球ステージＳに関与せずに落下してくる遊技球を適宜散らし、或いは入球に導くようにするための障害釘５４を含む多数の障害釘が打ち込まれている。また、遊技球ステージＳにおけるワープ導入口３２の周囲及びその上方側にも、遊技球を適宜散らし、或いは入球に導くようにするための障害釘２８を含む多数の障害釘が打ち込まれている。このような本パチンコ機１では、遊技領域７に打ち出された遊技球Ｂａを始動チャッカー１６等に、遊技球ステージＳを介して入球させ又は遊技球ステージＳを介さず直接入球させ得るように遊技が進められる。
【００３９】
なお、本実施形態における「ワープ導入」という語句は、遊技領域７ａに打ち出された遊技球を、当該遊技領域７ａの比較的下側に位置する不図示の道釘等を経ることなく、始動チャッカー１６の上に導くことを意味する概念である。また、上記「道釘」とは、遊技領域７ａにおいて始動チャッカー１６左右に打ち込まれた複数本の障害釘（図示せず）の列を意味するもので、上方から転動落下してきた遊技球を始動チャッカー１６方向に導く役割を担っている。
【００４０】
次に、センター飾り１２について図２ないし図４を参照して説明する。
【００４１】
すなわち、図２ないし図４に示すように、センター飾り１２は、上記開口１１を中央部に有する略筒状の枠体１２ａを備えており、枠体１２ａの周囲には、その複数箇所から外方に張り出すようにブラケット部２７が形成されている。各ブラケット部２７には、夫々枠体１２ａを遊技盤７に埋め込んだ形でネジ止めするために表裏貫通した孔２７ａが形成されている。
【００４２】
枠体１２ａは、その上部中央にワープ導入口３２を有しており、このワープ導入口３２から図の右下方に次第に細くなるように湾曲する形状の稲妻模様の照明ユニット３１を有している。また、枠体１２ａ下部におけるブラケット部２７には、遊技球ステージＳの所定部位に連通する球放出口５３が形成されており、この球放出口５３は、始動チャッカー１６の直上方に位置して、放出する遊技球Ｂａが一対の障害釘７０の間を通って始動チャッカー１６にほぼ確実に（つまり、９７〜９９％の確率で）入賞し得るように構成されている。
【００４３】
センター飾り１２は更に、開口１１の右方に、ワープ導入口３２と遊技球ステージＳとの間に配置されて、ワープ導入口３２から導入された遊技球Ｂａの進路を振り分ける振り分け装置２５を備えている。遊技球ステージＳは、振り分け装置２５にて振り分けられたルートの遊技球Ｂａを始動チャッカー１６に比較的高い確率（９７〜９９％(つまり、略１００％)）で入賞させ得る第１ステージＳ１と、振り分け装置２５にて振り分けられたルートの遊技球Ｂａを始動チャッカー１６に比較的低い確率（０〜９６％、より好ましくは３５〜４５％）で入賞させ得る第２ステージＳ２とを備えている。なお、振り分け装置２５によって振り分けられるルートには、第１ステージＳ１及び第２ステージＳ２へのルート以外に、第２クルーン３４から落下した際に遊技球ステージＳの外方に放出されるルートも含まれる。
【００４４】
遊技球ステージＳ、即ち第１ステージＳ１及び第２ステージＳ２は夫々、左右に比較的長尺に延在する平坦面として形成されると共に、同図右方から左方に向かって下降するように傾斜して形成されている。つまり、第１及び第２ステージＳ１，Ｓ２は、同図右方（一側）から遊技球ステージＳの左右幅方向の左方（他側）に向かって徐々に下降するように傾斜して形成されている。この傾斜の角度θ（図３参照）は、２〜５゜の範囲内で適宜設定することができるが、４゜に設定することが、遊技球Ｂａの転がり状態を円滑にする上で好ましい。
【００４５】
また、遊技球ステージＳ、即ち第１ステージＳ１及び第２ステージＳ２は夫々、遊技機本体の奥側から手前側に向かって徐々に下降するように傾斜する遊技球転動面として構成されている。この傾斜角度は、２〜５゜の範囲で適宜設定することができるが、パチンコ機１全体の所謂ネカセ（通常は後方側に１゜傾斜）に鑑み、５゜に設定することが、遊技球Ｂａの転がり状態を円滑にする上で好ましい。つまり、奥側から手前側への傾斜が５゜の場合、ネカセ分の１゜が減算されて４゜となり、最良の傾斜状態が得られることになる。
【００４６】
第１ステージＳ１は、同図の右側に配置された振り分け装置２５から送られた遊技球Ｂａを図の右方から左方に向かって転動させる平坦状の転動面７１と、該転動面７１の奥側及び手前側の２面を区画する側壁４１，４２と、転動面７１の最後部、つまり傾斜に沿った最も低い部分に、転動移動してきた遊技球Ｂａを全て球放出口５３に導く球導入口４５とを備えている。側壁４１，４２の転動面７１側を向く内面には、発光ダイオード（以下、ＬＥＤとも言う）が埋め込まれており、その照射光が転動面７１を適時照明することとなる。第１ステージＳ１における上記転動面７１は、遊技球Ｂａを１個ずつ転動案内できる程度の奥行き幅に構成されている。互いに対向して立設された側壁４１，４２の内面には、第１ステージＳ１の長手方向に沿って互い違いに（つまり千鳥状に）配置された転動速度抑制用の複数の突部４３が形成されている。
【００４７】
第２ステージＳ２は、同図の右側に配置された振り分け装置２５から送られた遊技球Ｂａを図の右方から左方に向かって転動させる平坦状の転動面７２と、該転動面７２の奥側及び手前側の２面を区画する側壁４２，７３と、転動面７２の最後部の一側部に形成されて放出口５３に連通する球導入口４９とを備えている。つまり、この球導入口４９は、第２ステージＳ２においての傾斜に沿った最も低い部分に、転動移動してきた複数の遊技球Ｂａのうちの一部を球放出口５３に導くように設けられている。球導入口４９の周囲には、転動面７２の左方への更なる転動移動を阻止して球導入口４９への落下を確実にさせるための保護枠５０が形成されている。
【００４８】
第２ステージＳ２における上記転動面７２は、遊技球Ｂａを複数個ずつ転動案内できるような、第１ステージＳ１より広い奥行き幅（約３倍）に構成されている。互いに対向して立設された側壁４２，７３の内面には、第２ステージＳ２の長手方向に沿って互い違いに（つまり千鳥状に）配置された転動速度抑制用の複数の突部４６が形成されている。また転動面７２には、振り分け装置２５側における遊技者側（図の手前側）から落下案内溝５２に向かって順に千鳥状に位置する９個の凸部４７が設けられている。凸部４７の当該個数は９個に限定されることはなく、必要に応じて設計時に適宜変更され得るものである。
【００４９】
上記複数個の凸部４７では、最後部の凸部４７Ａに対する遊技球Ｂａの方向や強さを含む弾接状況に応じて、球導入口４９への入球度合いが変わる。複数の凸部４７は、夫々透明材料からなり、球面状に上方に突出する形状を呈すると共に、各中心部４７ａは、転動面７２内に埋め込まれたＬＥＤからの光を上方に向けて射出するように形成される。
【００５０】
なお、上記透明材料の「透明」という語句は、濁りなく完全に透き通る状態のみならず、内方のＬＥＤから問題無く光照射させ得る全ての状態を含む概念である。
【００５１】
ところで、第２ステージＳ２の最も左側の位置には、図１に示すスルーゲート６１ａの上方に位置するように位置決めされた落下案内溝５２が形成されている。この落下案内溝５２は、遊技球ステージＳの前後方向（紙面手前−奥方向）に延在するように形成されており、第２ステージＳ２の転動面７２を転動してきて球導入口４９に入球できなかった遊技球Ｂａをステージ前方側に案内できるように、奥側から手前側に向かって徐々に下降するように傾斜して形成されている。
【００５２】
一方、振り分け装置２５は、図２及び図３の上方から見た平面視（図４参照）において重なるように上下２段に配置された第１及び第２クルーン３３，３４を備えている。鉛直方向上方に位置する第１クルーン３３側には、ワープ導入口３２から導入されて、上記照明ユニット３１内の案内溝７４（図３参照）を転動移動した後、垂直方向案内溝６７（図３参照）を通って落下する遊技球Ｂａを放出する放出口５６が設けられている。
【００５３】
第１クルーン３３には、放出口５６から放出された遊技球Ｂａを、裏面に固定された案内樋６２を介して下方の第２クルーン３４側に落下させるための貫通孔３５と、裏面に固定された案内樋６３を介して第２クルーン３４の下部側の排出口６６に放出するための貫通孔３６とが、センター飾り１２の左右方向（つまり、図１ないし図４における左右方向）に並んで配置されている。なお、図３中の符号７５は、演出用の照明装置を示している。
【００５４】
また、鉛直方向下方に位置する第２クルーン３４側には、上方の第１クルーン３３から案内樋６２を介して放出口５７から放出された遊技球Ｂａを、裏面に固定された案内樋６４を介して第１ステージＳ１に導入するための貫通孔３７と、裏面に固定された案内樋６５を介して、第２ステージＳ２の右前端部の当接部材５１の振り分け部５１ａに落下させるための貫通孔３８とが、センター飾り１２の左右方向（つまり、図１ないし図４における左右方向）に並んで配置されている。
【００５５】
そして、図２に示すように、放出口５６から第１クルーン３３に至るまでの経路には、同図の左方に向かって下降するように傾斜する傾斜案内面５８が形成されている。また、放出口５７から第２クルーン３４に至るまでの経路にも、同様の形状を有する傾斜案内面が形成されている。
【００５６】
ここで、図７及び図８に沿って、第１及び第２クルーン３３，３４をより詳細に説明する。なお、これら両クルーン３３，３４は相互に同じ構成を有するため、ここでは第１クルーン３３の構成のみを説明し、基本的に第２クルーン３４については省略することとする。
【００５７】
すなわち、第１クルーン３３は、図８に示す上下左右の位置関係を保持した状態で遊技球ステージＳ右側の振り分け装置２５に位置決め固定（図４参照）されるように構成されており、突起７８を中心とした平面視真円状の転動案内面３３ａと、この転動案内面３３ａの図７における左右幅方向の一側と他側に位置する貫通孔３５，３６と、遊技球ステージＳの奥側（図８の上側）に延びる傾斜案内面５８と、傾斜案内面５８の周囲を互いに直交する形で覆う側壁３３ｃ，３３ｄ，３３ｅと、側壁３３ｄから延びて転動案内面３３ａの周囲を円筒状に覆う側壁３３ｂとを有している。なお、貫通孔３６の内径が貫通孔３５の内径より若干大きく形成されている。
【００５８】
図７に示すように、傾斜案内面５８は、同図上方から落下して側壁３３ｃの内側で受け止めた遊技球Ｂａを転動案内面３３ａに向けて転動移動できるように、全体的に転動案内面３３ａから所定高さの段差５８ｃ以上の高さを有するように設計されている。当該第１の案内面５８ａは、側壁３３ｃの内側で受け止めた遊技球Ｂａを側壁３３ｄ側に寄せつつ転動案内面３３ａに向けて転動移動させ得るように、側壁３３ｄ側と転動案内面３３ａ側に同時に傾斜する第１の案内面５８ａと、この第１の案内面５８ａに連続して転動案内面３３ａ側に傾斜しつつ細く延びる第２の案内面５８ｂとを有している。
【００５９】
第１クルーン３３は、図７及び図８に示すように、貫通孔３５と貫通孔３６との間の接続部の中央に上記突起７８を有しており、この突起７８を貫通孔３５，３６の夫々に向かって傾斜する傾斜面６９と、転動案内面３３ａから当該傾斜面６９に向かって傾斜する傾斜面６８とを有している。傾斜面６８は、傾斜案内面５８に受け止められて（図８の二点鎖線Ｂａ１参照）転動案内面３３ａの円筒状の内面に沿って転動する遊技球（図８の二点鎖線Ｂａ２参照）が転動案内面３３ａの中心側に至った際（図８の二点鎖線Ｂａ３参照）、この遊技球Ｂａ３を、貫通孔３５，３６のいずれかに進入し易くなるように案内する。そして突起７８は、当該進入時、例えば貫通孔３６側に入球しようとしながらも貫通孔３５側に流れそうになる遊技球Ｂａ３を、そのまま貫通孔３６側に入球させるように補助する機能を有する。この機能は、貫通孔３５側から貫通孔３６側への移動時にも同様に働くことは言うまでもない。
【００６０】
第１クルーン３３では、所定寸法（例えば１８０〜２００［ｍｍ］の範囲内）の半径を有する球体の一部をカットした球面形状を転動案内面３３ａとして用いている。このため、突起７８は、当該球面形状の中心に位置する突起７８の一側及び他側に並ぶように形成された貫通孔３５，３６夫々の側壁３３ｂ側と突起７８側との段差の存在に起因した、貫通孔３５，３６間での上述の遊技球流れを補助し得る程度の高さ寸法（例えば２〜４［ｍｍ］の範囲内）に設定されている。
【００６１】
また、第１クルーン３３は、図８を参照すると理解できるように、傾斜案内面５８側から転動して側壁３３ｂの内周面に沿って転動してくる遊技球Ｂａ３を、第２ステージＳ２に導く貫通孔３６側に進入し易くする目的から、図３に示す装着状態において転動案内面３３ａの同図右側が所定寸法だけ同図左側より高くなるように傾斜され（例えば０．３〜０．５［゜］の範囲内）、予め側壁３３ｂ等に対する相対位置が定められた形で製作されている。当該構造が第２クルーン３４においても同様であることは言うまでもない。
【００６２】
また、図２及び図３に示すように、センター飾り１２における開口１１の右端部には、振り分け装置２５の左端部にあって上下方向（鉛直方向）に延設された照明装置３９が配置されている。この照明装置３９は、上下方向に長い照明支持部３９ａを備えており、該照明支持部３９ａにその長手方向に沿って一定間隔で配置された状態でセンター飾り前方を向く複数の射出窓４０を備えている。また、照明支持部３９ａに装着される後述の飾りレンズ部材８８は、内包する後述のＬＥＤ８９ａ，８９ｂの特にＬＥＤ８９ｂからの光を第１及び第２クルーン３３，３４側に照射できるようなフラットレンズ状に構成される。射出窓４０は、遊技者に対し光照射して種々の演出を行うためのものであり、上記フラットレンズ状の部分は、振り分け装置２５側に光照射して第１及び第２クルーン３３，３４及びその近傍を照明するためのものである。
【００６３】
ついで、図５を参照して、センター飾り１２の分解構造について説明する。なお、同図において、枠体１２ａの奥側に位置する第２ステージＳ２等の部材は、図示を省略している。
【００６４】
すなわち、センター飾り１２の枠体１２ａには、開口１１における上部側に、ＬＥＤ１０６を実装した基板１０５が固定され、開口１１における下部側に、落下案内溝５２、球導入口４９及び転動面７２を有する第２ステージＳ２が配設される。枠体１２ａの上記基板１０５の前側には照明ユニット１００が固定用ネジｓｃで固着され、該照明ユニット１００の右方には、稲妻模様の照明ユニット３１が固定用ネジｓｃで固着される。更に、固着された照明ユニット３１の前方上部には、稲妻模様のパネル１０１が固定用ネジｓｃで固着される。
【００６５】
また、枠体１２ａにおける開口１１の右側部には、第１及び第２クルーン３３，３４並びに照明装置３９をユニット化した状態の振り分け装置２５が、枠体１２ａの背面側（裏側）から、センター飾り１２に対する所定の基準位置に固定用ネジｓｃで位置決め固定される。
【００６６】
次に、上記振り分け装置２５の組付け構造の詳細について図６を参照して説明する。
【００６７】
同図に示すように、本発明に係る振り分け装置２５の組付け構造は、センター飾り１２への装着状態にて該センター飾り１２への基準位置に位置決めされる支持体としての前枠８３ａ及び後枠８３ｂを備えると共に、これら前枠８３ａ及び後枠８３ｂを、その支持部８０，８１に夫々第１及び第２クルーン３３，３４を所定の状態に支持した形でセンター飾り１２に装着することで、第１及び第２クルーン３３，３４を、センター飾り１２への上記基準位置に対し前枠８３ａ及び後枠８３ｂを介して位置決めするように構成される。そして、上述したように支持体は、一方向と他方向（図６における左方向と右方向）から結合された形で第１及び第２クルーン３３，３４を間に挟み込んで、これらクルーン３３，３４を所定の状態に位置決め固定し得る前枠８３ａと後枠８３ｂとから構成される。
【００６８】
また、第１及び第２クルーン３３，３４は夫々、略球面状の底面を遊技球Ｂａの転動案内面３３ａ，３４ａとして備えると共に、該転動案内面３３ａ，３４ａの中心に関する点対称の位置となるように一対の貫通孔３５，３６と３７，３８とを備え、センター飾り１２に対する基準位置に前枠８３ａ及び後枠８３ｂを介して位置決めされた状態にて、貫通孔３６，３８への入球率を高めるように当該貫通孔３６，３８側が貫通孔３５，３７側よりも鉛直方向に高く位置するように転動案内面３３ａ，３４ａが傾斜して形成されている。
【００６９】
すなわち、振り分け装置２５は、第１及び第２クルーン３３，３４等を前後方向（図６の左右方向）から挟み込んでセンター飾り１２の本体側に支持すると共に、照明装置３９の外郭をなす前枠（第１の支持部材）８３ａ及び後枠（第２の支持部材）８３ｂを備える。そして、前枠８３ａの照明支持部３９ａには、上下方向に射出窓４０が多数配列されており、当該上下方向の中段及び下段の位置に夫々、第１クルーン３３の前側を覆った形で支持する第１カバー支持部（支持部）８０と、第２クルーン３４の前側を覆った形で支持する第２カバー支持部（支持部）８１とが前枠８３ａの、照明支持部３９ａを含む本体に一体的に設けられている。
【００７０】
更に、第１クルーン３３及び第２クルーン３４双方の下面には夫々、貫通孔３５，３６、３７，３８から夫々に導入する遊技球Ｂａを遊技球ステージＳの所定のルートに導く球受け部材Ｒ１，Ｒ２が固定されている。球受け部材Ｒ１は、上述した案内樋６２，６３を一体に有しており、これら案内樋６２，６３は夫々、遊技球案内溝６２ａ，６３ａを有している。球受け部材Ｒ２は、上述した案内樋６４，６５を一体に有しており、これら案内樋６４，６５は夫々、遊技球案内溝６４ａ，６５ａを有している。
【００７１】
なお、第１及び第２クルーン３３，３４が夫々、上記球受け部材Ｒ１，Ｒ２を下部面に一体に備えるように製造することができる。この場合、部品点数を削減し、振り分け装置２５の組付け時の作業をより簡略化できるという効果が得られる。
【００７２】
球受け部材Ｒ２の案内樋６４は、その前面にシール１１０が貼付されており、遊技球案内溝６４ａの上側には、磁気等を検出媒体として金属製の遊技球Ｂａの通過を検知する近接スイッチから構成されて第１ステージＳ１への遊技球Ｂａの導入を検知する第１ステージ導入検知センサ８２が位置決め固定されている。この第１ステージ導入検知センサ８２は、第２クルーン３４の貫通孔３７から導入されて遊技球案内溝６４ａに落下する遊技球Ｂａを通過させる通過孔８２ａを有している。
【００７３】
前枠８３ａは、第１及び第２クルーン３３，３４及びセンター飾り１２前方の双方を照明する照明装置３９を支持すべき上記照明支持部３９ａを備えている。つまり、前枠８３ａにおける射出窓４０の背面側の照明支持部３９ａには、透明材料からなる飾りレンズ部材８８が位置決め固定される。該飾りレンズ部材８８の内方空間８８ａには、複数個（本実施形態では９個）のＬＥＤ８９ａと複数個（本実施形態では１２個）のＬＥＤ８９ｂとを実装した電飾基板８６が挿入配置される。また、飾りレンズ部材８８の開口１１側（図２参照）に向いた外側面にはシール８７が貼付される。従って、照明支持部３９ａに、照明装置３９に係る部品（飾りレンズ部材８８や電飾基板８６）を支持するだけで、第１及び第２クルーン３３，３４及びセンター飾り１２前方の双方を照明する構成が容易に実現することとなる。
【００７４】
照明装置３９は、第１及び第２クルーン３３，３４に向かって光射出する上記ＬＥＤ（第１の発光体）８９ａとセンター飾り１２の前方に向かって光射出する上記ＬＥＤ（第２の発光体８９ｂとを１枚の電飾基板８６に実装した形で、前枠８３ａ及び後枠８３ｂに支持される。これにより、１枚の電飾基板８６を前枠８３ａ，後枠８３ｂに装着するだけで、ＬＥＤ８９ａ，８９ｂを、上述のように第１及び第２クルーン３３，３４及びセンター飾り１２前方の双方を照明し得る状態に容易にセットできるようになる。この際、ＬＥＤ８９ａ，８９ｂを複数個ずつ電飾基板８６に実装すると共に、各ＬＥＤ８９ａ，８９ｂが夫々、光３原色（ＲＧＢ）に対応するものとなるように構成することにより、第１及び第２クルーン３３，３４及びセンター飾り１２前方の双方を、美観を高めた多彩で装飾的な状態に照明することができる。
【００７５】
また後枠８３ｂは、センター飾り１２のワープ導入口３２から導入された遊技球Ｂａが進入する進入孔７９と、該進入孔７９から進入した遊技球Ｂａを自重落下させるべき垂直方向案内溝６７（図３参照）の前壁を構成する壁部６７ａと、該壁部６７ａの最下部に形成された放出口５６（図３参照）と、該放出口５６の下方に位置して、球受け部材Ｒ１の遊技球案内溝６２ａ及び６３ａに夫々連通すべき連通口１１３及び９０とを備えている。後枠８３ｂは更に、第１クルーン３３の貫通孔３５から連通口１１３に導入された遊技球Ｂａを第２クルーン３４上に放出すべき放出口５７（図３参照）と、第２クルーン３４の貫通孔３７に落下した遊技球Ｂａを球受け部材Ｒ２の遊技球案内溝６４ａから受けて第１ステージＳ１に送るための球連絡孔９１と、連通口９０に導入された遊技球Ｂａを第２ステージＳ２上に排出する排出口６６とを備えている。
【００７６】
前枠８３ａと後枠８３ｂ間には、前枠８３ａ及び後枠８３ｂの相互間に位置決め固定されて、電飾基板８６のＬＥＤ８９ａ，８９ｂによる光照射を反射して第１及び第２クルーン３３，３４等を効果的に照明するための上側反射板８４及び下側反射板８５が固定される。
【００７７】
したがって、本実施形態におけるパチンコ機１では、皿ユニット１３上に遊技球Ｂａが滞留している状態にて、遊技者が発射ハンドル９を握って図１の時計回り方向に適宜の角度回動させて保持すると、不図示の発射装置の作動によって遊技球Ｂａが遊技領域７ａに向けて打ち出される。すると、ガイドレール４９から遊技領域７ａ上に放出された多数の遊技球Ｂａのうち、一部がワープ導入口３２から入球される。
【００７８】
そして、ワープ導入口３２から導入された遊技球Ｂａは、案内溝７４（図３）を通って垂直方向案内溝６７を落下し、不図示の落下速度抑制機構によって落下速度を軽減された後、放出口５６から傾斜案内面５８を経由して第１クルーン３３の側壁３３ｂ内に放出され、この側壁３３ｂの内面に沿って回転するように転動する。第１クルーン３３上の遊技球Ｂａは、摩擦抵抗等に起因して転動速度が弱まった段階で、球面状に形成されて低くなっている中心部分に導かれ、貫通孔３５，３６のいずれかに落下することとなる。
【００７９】
貫通孔３５に落下した場合、遊技球Ｂａは、案内樋６２から傾斜案内面（図示せず）を経由して第２クルーン３４上の側壁内に放出され、この側壁の内面に沿って回転するように転動する。そして、第２クルーン３４上の遊技球Ｂａは、摩擦抵抗等に起因して転動速度が弱まった段階で、第１クルーン３３と同様形状の中心部分に導かれ、貫通孔３７，３８のいずれかに落下することとなる。
【００８０】
一方、第１クルーン３３の貫通孔３６に落下した場合、遊技球Ｂａは、案内樋６３から排出口６６を経由して第２のステージＳ２に向けて放出され、この第２のステージＳ２をその傾斜に沿って図２の左方向に、複数の凸部４７に任意に当接しつつ転動し、最後端の凸部４７Ａに適切な角度で当接する等の偶然的な要件を満たした場合、球導入口４９に導入されて球放出口５３から始動チャッカー１６に入賞し、或いは球導入口４９に入球できずに落下案内溝５２から下方のスルーゲート６１ａに向けて落下されることとなる。なお、球導入口４９に導入された場合であっても、障害釘７０への当接状況により始動チャッカー１６に入賞できない場合があることは言うまでもない。
【００８１】
第２のステージＳ２を遊技球Ｂａが転動する途中、転動面７２では各凸部４７の中心部４７ａに対応するＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００８２】
そして、第２クルーン３４において貫通孔３７に落下した場合、その遊技球Ｂａは、案内樋６４を介して第１のステージＳ１の最右端部に放出され、転動面７１の傾斜に沿って、その進行方向の左右に位置して突出する転動速度抑制用の複数の突部４３に交互に当接しながら緩やかに転動移動する。そして、最後部にて球導入口４５に入球して球放出口５３から始動チャッカー１６に入賞することとなる。この際も、球導入口４９に導入されても始動チャッカー１６に入賞できない場合があることは言うまでもない。第１のステージＳ１を遊技球Ｂａが転動する途中、側壁４１，４２に埋め込まれたＬＥＤが、制御部（図示せず）からの信号に応答して、予め定められたタイミングで流れるように円滑に発光し、あたかも格闘技のリングを選手が移動するように、遊技球Ｂａに対する演出効果を高める。
【００８３】
なお、第２のステージＳ２から落下する遊技球Ｂａは、その落下方向が、始動チャッカー１６上の一対の障害釘７０の間を通過して入球し得る方向と異なるとしても、当該障害釘７０の左右に打ち込まれた不図示の所謂ジャンプ釘や、当該ジャンプ釘から左右方向に配列された道釘（図示せず）で弾かれることにより、所謂命釘である障害釘７０に絡んでその間を落下して始動チャッカー１６に入球することもある。
【００８４】
そして、本実施形態における振り分け装置２５の組付け構造によると、振り分け装置２５の組付け工程の開始に際して、まず、前枠８３ａ及び後枠８３ｂを合わせた支持体の第１カバー支持部８０及び第２カバー支持部８１に第１及び第２クルーン３３，３４を所定の状態（予め設定された枠８３ａ，８３ｂに対する相対位置を確保された状態）となるように支持させた後、枠８３ａ，８３ｂをセンター飾り１２に装着するだけで、これら枠８３ａ，８３ｂからなる支持体を介して第１及び第２クルーン３３，３４をセンター飾り１２への基準位置に対し容易にかつ確実に位置決めすることができる。
【００８５】
また、前枠８３ａ及び後枠８３ｂを両方向から結合した形で第１及び第２クルーン３３，３４を間に挟み込んで所定の状態に位置決め固定できるので、振り分け装置２５の組付け工程の開始に際して、まず、前枠８３ａ及び後枠８３ｂを分解しておき、このうちの前枠８３ａの第１及び第２カバー支持部８０，８１に第１及び第２クルーン３３，３４を夫々に装着した後、前枠８３ａに対し後枠８３ｂを結合させるだけで、第１及び第２クルーン３３，３４の枠８３ａ，８３ｂへの正規の装着状態が実現する。これにより、振り分け装置２５の組付け工程がより簡便になる。
【００８６】
更に、本実施形態では、第１及び第２クルーン３３，３４が夫々、略球面状の底面を遊技球Ｂａの転動案内面３３ａ，３３ｂとして備えると共に、該転動案内面３３ａ，３３ｂの中心に関する点対称の位置となるように一対の貫通孔３５，３６と３７，３８とを備え、センター飾り１２に対する基準位置に前枠８３ａ及び後枠８３ｂを介して位置決めされた状態で、貫通孔３６，３８への入球率を高めるように当該貫通孔３６，３８側が貫通孔３５，３７側よりも鉛直方向に高く位置するように転動案内面３３ａ，３３ｂが傾斜している。これにより、遊技者への利益が小さくなる第２ステージＳ２へのルートに連通させた貫通孔３６，３８への導入を増やして導入率を偏らせ、貫通孔３５，３７を介した第１ステージＳ１へのルートには容易に導入できないという形とし、貫通孔３５，３７を介したルートに導入される際の遊技者の期待感を膨らませ、遊技性をより向上させることができる。
【００８７】
以上のように、本実施形態のパチンコ機１に、本発明に係る振り分け装置２５の組付け構造を備えたので、装着するだけで振り分け装置２５をセンター飾り１２への基準位置に対し容易かつ確実に位置決めできる構造を具備するパチンコ機１が実現した。
【００８８】
以上、本発明をその好適な実施の形態に基づいて説明したが、本発明の振り分け装置の組付け構造及び該組付け構造を備える遊技機は、上記実施形態の構成にのみ限定されるものではなく、上記実施形態の構成から種々の修正及び変更を施した振り分け装置の組付け構造及び該組付け構造を備える遊技機も、本発明の範囲に含まれる。
【図面の簡単な説明】
【００８９】
【図１】本発明に係る実施形態のパチンコ機の外部構造を示す正面図である。
【図２】本実施形態におけるパチンコ機に搭載されたセンター飾りを単体で示す斜視図である。
【図３】センター飾りを示す正面図である。
【図４】図３に示したセンター飾りを同図A-A線に沿って切断して上方から見た状態で示す平面図である。
【図５】センター飾りを示す分解斜視図である。
【図６】センター飾りに備えた振り分け装置を示す分解斜視図である。
【図７】クルーンを拡大して示す斜視図である。
【図８】図７のクルーンを上方から見た状態で示す平面図である。
【符号の説明】
【００９０】
１：パチンコ機（遊技機）
７：遊技盤
１２：センター飾り（ユニット役物）
１２ａ：枠体
２５：振り分け装置
３２：ワープ導入口
３３：第１クルーン（クルーン部材）
３３ａ：転動案内面
３４：第２クルーン（クルーン部材）
３４ａ：転動案内面
３５，３６，３７，３８：貫通孔
３９：照明装置
３９ａ：照明支持部
８０：第１カバー支持部（支持部）
８１：第２カバー支持部（支持部）
８３ａ：前枠（支持体、第１の支持部材）
８３ｂ：後枠（支持体、第２の支持部材）
８９ａ：ＬＥＤ（第１の発光体）
８９ｂ：ＬＥＤ（第２の発光体）
Ｂａ：遊技球
Ｒ１，Ｒ２：球受け部材
Ｓ：遊技球ステージ
【図１】
2006122280.tif 000003
【図２】
2006122280.tif 000004
【図３】
2006122280.tif 000005
【図４】
2006122280.tif 000006
【図５】
2006122280.tif 000007
【図６】
2006122280.tif 000008
【図７】
2006122280.tif 000009
【図８】
2006122280.tif 000010